(57)【要約】      （修正有）【課題】ブラシを含む歯間ブラシの上部部分が柔軟に曲がって口腔内で自由に洗浄方向を変更することができる歯間ブラシを提供する。【解決手段】流線形の容器を備え、容器内に洗浄液を保存する保存部が形成され、保存部から洗浄液を受けて使用者の口腔に供給するように容器の外部に突出したブラシを備えた歯間ブラシであって、ブラシの洗浄方向を変更することができるように屈曲可能な軟性素材の屈曲部を含み、屈曲部を除いた容器は堅固な素材から製作され、屈曲部は容器内の保存部と干渉しない位置に形成され、複数回の屈曲にも磨耗しないようにしわ構造に製作される。【選択図】図１
0003222731.tif 000002
【実用新案登録請求の範囲】
【請求項１】
流線形の容器を備え、容器内に洗浄液を保存する保存部が形成され、保存部から洗浄液を受けて使用者の口腔に供給するように容器の外部に突出したブラシを備えた歯間ブラシであって、
前記歯間ブラシは前記ブラシの洗浄方向を変更することができるように屈曲可能な軟性素材の屈曲部を含み、屈曲部を除いた容器は堅固な素材から製作され、前記屈曲部は前記容器内の保存部と干渉しない位置に形成され、複数回の屈曲にも磨耗しないようにしわ構造に製作される、歯間ブラシ。
【請求項２】
前記容器は、上から順に上部、蓋が結合されるフランジ及び流線形の長ボディーからなり、前記屈曲部はフランジとボディーの間に形成される、請求項１に記載の歯間ブラシ。
【請求項３】
前記容器は、上から順に上部、蓋が結合されるフランジ及び流線形の長ボディーからなり、前記上部は細い流線形の小さなキャップで密封され、前記キャップが屈曲部として形成された、請求項１に記載の歯間ブラシ。
【請求項４】
前記容器は、上部ボディーと上部ボディーの下側の長い下部ボディーとに分割され、下部ボディーと上部ボディーの間に屈曲部が形成されることにより、母指で上部ボディーに力を加え、残りの指で下部ボディーを把持しながらブラシの方向を変えることができる、請求項１に記載の歯間ブラシ。
【請求項５】
前記容器は、上部ボディーと上部ボディーの下側の長い下部ボディーとに分割され、屈曲部が下部ボディーの上部に形成されることにより、ブラシが口腔の深い内側部で方向を変えることができる、請求項１に記載の歯間ブラシ。
【考案の詳細な説明】
【技術分野】
【０００１】
本考案は口腔内で屈曲可能な歯間ブラシに関する。
【背景技術】
【０００２】
出願人は特許文献１、特許文献２、特許文献３、特許文献４などの総８件の権利及び対応の海外特許を介して歯間ブラシを開発しながら関連権利を確保し、これらを土台として生産された製品は比較的市場で好評を得ている。
【０００３】
ところで、先行技術の歯間ブラシは、ボディーを含む全体構造が硬質の素材からなるため、口内に歯ブラシを入れた後、歯ブラシの方向を変えるためには、手を動かして歯間ブラシ全体の傾き又は方向を変えなければならない不便さがあった。また、歯牙の微細な部分と３次元形状面の全てを均一に磨くためには、少なくともブラシを含む歯間ブラシの上部が柔軟に曲がって口腔内で自由に歯磨き方向を変更することが効率的であることを発見した。
【０００４】
本考案はこのような知見に着眼して開発されたものである。
【先行技術文献】
【特許文献】
【０００５】
【特許文献１】韓国公開実用新案第２０−４６５５５４号公報
【特許文献２】韓国公開特許第１０−１５００２８８号公報
【特許文献３】韓国公開特許第１０−１４９３６４６号公報
【特許文献４】韓国公開特許第１０−１６４５２８３号公報
【考案の概要】
【考案が解決しようとする課題】
【０００６】
したがって、本考案はブラシを含む歯間ブラシの上部が柔軟に曲がって口腔内で自由に洗浄方向を変更することができる歯間ブラシを提供することを目的とする。
【課題を解決するための手段】
【０００７】
上述した目的を達成するために、本考案は、流線形の容器を備え、容器内に洗浄液を保存する保存部が形成され、保存部から洗浄液を受けて使用者の口腔に供給するように容器の外部に突出したブラシを備えた歯間ブラシであって、前記歯間ブラシは前記ブラシの洗浄方向を変更することができるように屈曲可能な軟性素材の屈曲部を含み、屈曲部を除いた容器は堅固な素材から製作され、前記屈曲部は前記容器内の保存部と干渉しない位置に形成され、複数回の屈曲にも磨耗しないようにしわ構造で製作される歯間ブラシを開示する。
【０００８】
前記容器は、上から順に上部、蓋が結合されるフランジ及び流線形の長ボディーからなり、前記屈曲部はフランジとボディーの間に形成されることができる。
【０００９】
前記容器は、上から順に上部、蓋が結合されるフランジ及び流線形の長ボディーからなり、前記上部は細い流線形の小さなキャップで密封され、前記キャップが屈曲部として形成されることができる。
【００１０】
前記容器は、上部ボディーと上部ボディーの下側の長い下部ボディーとに分割され、下部ボディーと上部ボディーの間に屈曲部が形成されることにより、母指で上部ボディーに力を加え、残りの指で下部ボディーを把持しながらブラシの方向を変えることができる。
【００１１】
前記容器は、上部ボディーと上部ボディーの下側の長い下部ボディーとに分割され、屈曲部が下部ボディーの上部に形成されることにより、ブラシが口腔の奥の内側部で方向を変えることができる。
【考案の効果】
【００１２】
本考案は口腔内で自由に屈曲して楽に洗浄することができ、繰り返しの屈曲にも磨耗しない屈曲部を備えた歯間ブラシを提供する効果を発揮する。
【図面の簡単な説明】
【００１３】
【図１】本考案の第１実施例による歯間ブラシの正面図である。
【図２】本考案の第２実施例による歯間ブラシの正面図である。
【図３】本考案の第３実施例による歯間ブラシの正面図である。
【図４】本考案の第４実施例による歯間ブラシの正面図である。
【考案を実施するための形態】
【００１４】
以下、本考案が属する技術分野で通常の知識を有する者が容易に実施することができるように、本考案の実施例について添付図面を参照して詳細に説明する。しかし、本考案は様々な異なる形態に具現されることができ、ここで説明する実施例に限定されない。
【００１５】
本考案の要旨は携帯可能な便利な歯間ブラシを、屈曲可能な屈曲部を有する複合素材から製作することにある。
【００１６】
図１は本考案の屈曲可能な歯間ブラシ１の第１実施例である。
【００１７】
歯間ブラシ１は流線形の容器２を備える。容器２は、上から順に上部２０、フランジ２２、屈曲可能な屈曲部２００及び流線形の長ボディー２４からなる。フランジ２２の外周には蓋１２が装着される。容器２の上部２０内には、図示のように、保存部４が位置し、保存部４には歯磨きのための歯磨き成分である洗浄剤が保存されている。上部２０は細い流線形の小さなキャップ６で密封される。ブラシ８は細い鉄心形シャフト１０の上部に形成される。シャフト１０の下端はキャップ６を通して保存部４の内部に延びる。使用者がボディー２４のウィンドウパネル（図示せず）を手で押すか容器２を傾ければ、保存部４の洗浄液がシャフト１０を通して流れてブラシ８に供給される。
【００１８】
本考案の歯間ブラシ１は、蓋１２が結合されるフランジ２２の下部とボディー２４の間に屈曲部２００を備えている。屈曲部２００の位置は保存部４と重複してはいけず、歯間ブラシ１が口腔内で充分に曲がって洗浄液の噴出及び洗浄方向が自由に変更できるようにすることが好ましい。すなわち、歯間ブラシ１は口腔の外部又は口腔の内側深くで曲がる必要はない。
【００１９】
本考案の屈曲部２００を除いた容器２とキャップ６は硬質の固い素材から製作されるが、屈曲部２００は可撓性の柔軟な素材から製作される。屈曲部２００はいずれの方向にも屈曲可能な程度に弾力性が充分に高くなければならない。屈曲部２００の材料は、例えばポリエチレンなどのプラスチック合成樹脂又はシリコンから製作されることができる。屈曲部２００の形状はストロー（ｓｔｒａｗ）の曲部のようにしわ構造、いわゆる“蛇腹”構造であることが好ましい。この場合、繰り返される屈曲にもかかわらず、亀裂又は破損がなく磨耗がない永久的使用寿命を期待することができる。
【００２０】
図２は本考案の屈曲可能な歯間ブラシ１の第２実施例を示すもので、第１実施例と同じ部分に対しては同じ参照番号を付与した。
【００２１】
第１実施例と違う点は、ブラシ８が細い四角形に配列され、容器２が長さの長い下側の下部ボディー２Ａと長さの短い上側の上部ボディー２Ｂに分割され、下部ボディー２Ａと上部ボディー２Ｂの間に屈曲部２００を形成した点である。屈曲部２００はしわ構造であることが好ましい。第２実施例の場合、母指で上部ボディー２Ｂに力を加え、残りの指で下部ボディー２Ａを把持しながらブラシ８の方向を変えることができるので、使用が便利な利点がある。
【００２２】
図３は本考案の屈曲可能な歯間ブラシ１の第３実施例を示すもので、第２実施例と異なる点は、屈曲部２００を下部ボディー２Ａの上部に形成した点にある。この場合、歯間ブラシ１は口腔の奥の内側部を洗浄するのに有利である。
【００２３】
図４は本考案の屈曲可能な歯間ブラシ１の第４実施例を示すもので、第１実施例と同一の構造であるが、屈曲部２００がキャップ６を取り替えるようにした点が異なる。この場合、歯間ブラシ１は上部２０を歯牙や唇に接触した状態でこの部分をテコの支点としてブラシ８の方向を変えることができるので、特に近距離の細密な洗浄に有利である。
【００２４】
以上、本考案の好適な実施例を説明したが、これは例示的に提示したもので、本考案の権利範囲は前述した実施例はもちろんのこと、その他の多様な変形例も含む。本考案の要旨は携帯可能な便利な歯間ブラシを屈曲可能な屈曲部を有する複合素材から製作することにあり、多様な実施例に具現されることができ、本考案の権利範囲は以下に記述する実用新案登録請求の範囲と同一又は均等の領域まで及ぶ。
【符号の説明】
【００２５】
１  歯間ブラシ
２  容器
４  保存部
６  キャップ
８  ブラシ
１０  シャフト
１２  蓋
２００  屈曲部
【図１】
0003222731.tif 000003
【図２】
0003222731.tif 000004
【図３】
0003222731.tif 000005
【図４】
0003222731.tif 000006